(57)【特許請求の範囲】
【請求項１】
樋状受具と、この樋状受具内に屈曲部を挿入し、その屈曲部の両側にそれぞれ埋設部を一連に備え、その埋設部の成す角をＶ状又は略水平にした板ばね片と、この板ばね片の前記屈曲部を押して前記埋設部の成す角を変化させるカムを備え且つ端部に回動用係合部を設けた切換軸と、前記樋状受具の両端に固着する前記切換軸の軸受と、前記切換軸を回動する駆動手段とから成るクッション作用付与具を履物底本体の屈曲部に埋設したことを特徴とする履物底。
【請求項２】
一方又は双方の埋設部を移動可能に埋設したことを特徴とする請求項１記載の履物底。
【請求項３】
樋状受具と、この樋状受具内に屈曲部を挿入し、その屈曲部の両側にそれぞれ埋設部を一連に備え、その埋設部の成す角をＶ状又は略水平にした板ばね片と、この板ばね片の前記屈曲部を押して前記埋設部の成す角を変化させるカムを備え且つ端部に回動用係合部を設けた切換軸と、前記樋状受具の両端に固着する前記切換軸の軸受と、切換軸を回動する駆動手段とから成るクッション作用付与具。
【請求項４】
樋状受具の外側に埋設固定板を設け、且つ板ばね片の屈曲部を逆Ω状としたことを特徴とする請求項３記載のクッション作用付与具。
【請求項５】
板ばね片の屈曲部を三角形状としたことを特徴とする請求項３記載のクッション作用付与具。
【発明の詳細な説明】
【０００１】
【発明の属する技術分野】
本発明は、草履、サンダル、運動靴、トレーニングシューズ、リハビリ用靴等の履物に用いる疲労を感じさせない履物底と、それに使用するクッション作用付与具に関するものである。
【０００２】
【従来の技術】
従来、靴底に弾性体を埋設して歩行を楽にする考案が数多く提案されている。例えば特開平１０−６６６０４号公報には、合成ゴム、ウレタンゴムよりなる発泡体、圧縮コイルばね、空洞によるエアクッション、皿ばね、板ばね等の弾性体を埋設して靴底にクッション性を付与した構造が提案されているが、何れも常にクッション作用を持つものであった。
【０００３】
【発明が解決しようとする課題】
本発明は、歩行時には、踵から踏出し、次に底全体を接地させた後、次の踏み出し時に踵に押し上げる力を与えて、前進時の体重の移動を助ける作用があるものとすることができ、通常の歩行時や収納時には、押し上げ力を発揮しない状態とすることが出来る履物底とそれに使用するクッション作用付与具を提供しようとするものである。
【０００４】
【課題を解決するための手段】
本発明は、前記の課題を解決するためになされたもので、請求項１記載の第１の発明は樋状受具と、この樋状受具内に屈曲部を挿入し、その屈曲部の両側にそれぞれ埋設部を一連に備え、その埋設部の成す角をＶ状又は略水平にした板ばね片と、この板ばね片の前記屈曲部を押して前記埋設部の成す角を変化させるカムを備え且つ端部に回動用係合部を設けた切換軸と、前記樋状受具の両端に固着する前記切換軸の軸受と、前記切換軸を回動する駆動手段とから成るクッション作用付与具を履物底本体の屈曲部に埋設したことを特徴とする履物底である。
【０００５】
前記埋設部は履物底本体に固定してもよいし、一方又は双方を移動可能に埋設してもよい。
【０００６】
請求項３記載の第２の発明は、樋状受具と、この樋状受具内に屈曲部を挿入し、その屈曲部の両側にそれぞれ埋設部を一連に備え、その埋設部の成す角をＶ状又は略水平にした板ばね片と、この板ばね片の前記屈曲部を押して前記埋設部の成す角を変化させるカムを備え且つ端部に回動用係合部を設けた切換軸と、前記樋状受具の両端に固着する前記切換軸の軸受と、切換軸を回動する駆動手段とから成るクッション作用付与具である。
【０００７】
前記第１及び第２の発明において、樋状受具は金属や合成樹脂などで構成し、その外側に樋状受具がしっかりと履物底本体に固定されるように埋設固定板を固定したり、板ばね片の屈曲部を逆Ω状や三角形状あるいはム状とすることもできる。
【０００８】
【発明の実施の形態】
図１は本発明の第１の実施例を示すもので、Ａはクッション作用付与具、Ｂは合成ゴムからなる履物底本体である。
【０００９】
図２はクッション作用付与具の要部の拡大平面図、図３は同拡大正面図、図４は同拡大左側面図、図５は図３のＸ−Ｘ線断面図で、１は図６及び図７に示すように外側面に埋設固定板２、２を設けた断面Ｃ字状の樋状受金具、３は図８及び図９に示すように、前記樋状受金具１内に挿入する逆Ω状の屈曲部４を備え、その両側にリブ５及び透孔６を設けた埋設部７と埋設部８を一連に設け、埋設部７と埋設部８の成す角をＶ状にした板ばね片で、自由な状態では図９に示すようにＶ状となっている。
【００１０】
９は図１０及び図１１に示すように前記板ばね片３の逆Ω状の屈曲部４の両側内縁４ａ，４ｂを押して両側内縁間を拡大縮小させる断面が扇形のカム１０を備え、且つ端部に回動用係合部１１（実施例ではマイナス溝）及び雄ねじ部１２を設けた切換軸、１３、１３は図１２に示すように段部１３ａをに設け、この段部１３ａを前記樋状受金具１の両端に半田、溶接等で固着した前記切換軸の軸受、１４は切換軸９の雄ネジ部１２に螺合するナットである。
【００１１】
しかして、クッション作用付与具Ａの組立は、先ず樋状受金具１内に側面より板ばね片３の屈曲部４を挿入し、次にその屈曲部４内に切換軸９を側面より挿入し、軸受１３を切換軸９の両端より挟み込むように差し込み、樋状受金具１と軸受１３を接着剤で接着又は半田あるいは溶接等で固定した後、切換軸９の雄ねじ部１２にナット１４を螺合する。この時扇形のカム１０は図１３の（ｂ）の状態となり、カム１０の巾狭側の１０ｂが上になり、靴底製造時に履物底Ｂへの埋設が困難となるので、切換軸９のドライバー係合部１１のマイナス溝にドライバー等を差し込み、カム１０の巾広側１０ａが上になるように１８０度回動して屈曲部４の両側内縁４ａ，４ｂ間を拡大して埋設部７と埋設部８を水平にする。最後に切換軸９の雄ねじ部１２にナット１４をスパナ等で締め付けカム１０をその位置で軸受１３に固定する。
【００１２】
以上のように構成されたクッション作用付与具Ａを、図１及び図１３に示すように履物底本体Ｂに埋設部７を爪先側に，埋設部８を踵側にそれぞれ埋設することにより履物底本体Ｂにクッション性を付与したり、付与しない状態とすることができる。なお、履物底本体Ｂに埋設する場合、埋設後カム及び回動部が履物底の構成材料と固着して回動不能とならないように、離型剤を塗布する等の予防措置を施すことは勿論である。
【００１３】
本クッション作用付与具Ａを埋設した履物底は、図１３の（ａ）に示すように、切換軸９を回動して巾広側１０ａを上にした場合、巾広側１０ａが屈曲部４の両側内縁４ａ，４ｂ間に割り込んで両側内縁間を拡げるため、履物底本体Ｂは平面状になって通常の履物底と同様になる。従って収納に不具合になることはない。
【００１４】
一方、切換軸９を回動して巾狭部１０ｂを上にすると、図１３の（ｂ）及び（ｃ）に示したように履物底本体ＢはＶ状となり、板ばね片３によりクッション性を付与されるので、この履物底本体Ｂを用いた履物を着用して歩行する時、踵より足の指先への体重の移動が促進され、バランス良く歩き易くなる。
【００１５】
そして板ばね片３により反発力が体重を押し上げてくれるので、踵やアキレス腱の疲労を感じさせず、長時間の歩行に十分対応してくれる履物を提供することが出来る。
【００１６】
以上説明した第１の実施例では，埋設部の一方を爪先側の土踏まず部に、また他方を踵側に埋設したが、この場所のみに限定されるものではなく、クッション作用を付与しようとする屈曲部、例えば爪先部と土踏まず部間に埋設してもよい。
【００１７】
なお、この実施例では切換軸９を回動する駆動手段として、切換軸９にドライバー係合部１１を設け、且つ切換軸９が不用意に回動しないようにナット１４で締め付ける構造としたが、この構造に限定されるものではない。
【００１８】
図１４は本発明の第２の実施例を示すもので、Ａ１はクッション作用付与具、Ｂ１は合成ゴムからなる履物底本体である。
【００１９】
１’は図１５に示すように嵌め込み溝１６を有する合成樹脂製又は金属製樋状受具、３１は図１６（ａ）に示すように、前記樋状受具１’内の嵌め込み溝１６内に挿入する三角状に屈曲された屈曲部４１を備え、その両側に埋設部７１と、透孔６を設けた埋設部８１をそれぞれ一連に設けた板ばね片で、自由な状態では図１６（ｂ）に示すように略水平な状態になっている。
【００２０】
９１は図１７に示すように前記板ばね片３１の三角状屈曲部４１の底辺部を押圧する断面が長方形のカム１０１を備え、且つ一方の端部に雄ねじ部１２を設けた切換軸、１３１、１３２は図１８，図１９に示すように前記樋状受具１’の両端に嵌め込み接着剤で固着した前記切換軸９１の軸受で、軸受１３１の軸孔にはゴム製防水用パッキン１３１ａが設けられている。１４’は切換軸９１の雄ネジ部１２に螺合したナットである。
【００２１】
しかして、クッション作用付与具Ａ１の組立は、先ず樋状受具１’内に板ばね片３１の屈曲部４１を挿入し、次にその屈曲部４１内に切換軸９１を挿入し、軸受１３１，１３２を切換軸９１の両端に取付けた後、樋状受具１’と軸受１３１，１３２を接着剤で固定し、切換軸９１の雄ねじ部１２に袋ナット１４’を螺合し、接着剤で雄ネジ部１２に固定する。
【００２２】
そしてこのクッション作用付与具Ａ１の履物底本体Ｂ１への取付けは、埋設部８１を履物底本体Ｂ１の踵部に埋設して固定し、埋設部７１は履物底本体Ｂ１の土踏まず部に移動自在に取付ける。この実施例では図２０に示すように、履物底本体Ｂ１に凹部１５を設け、硬質合成樹脂製の補強カバー１６ａを履物底本体Ｂ１に接着して空洞を形成してその中を埋設部７１が移動するように構成した。
【００２３】
クッション作用性を付与する際には切換軸９１を９０°回動してカム１０１を縦にすると、樋状受具１’の両側上縁で支承されている三角状屈曲部４１の内側下面が押されるため、埋設部７１は樋状受具１’内へ引張られ、板ばね片３１全体がＶ状になる。その結果、図２０の（ｂ）のように履物底本体Ｂ１はＶ状となり、板ばね片３１によりクッション性が付与される。
【００２４】
なおこの実施例ではクッション性を付与する際に中底１７が盛り上らないように弾力性のある硬質合成樹脂製の補強カバー１６ａ,１６ｂを中底１７とクッション作用付与具の間に設け、またクッション作用が損なわれないようにＶ字状になる支点位置に切れ目１６ｃを設けてある。
【００２５】
また、この第２の実施例では埋設部８１を履物底に接着固定したが、図２１に示す本発明の第３の実施例のように埋設部７１と埋設部８１がそれぞれ樋状受具方向へ移動できるようにしてもよい。この時補強カバー１６ａ，１６ｂ，１６ｄを設け、前述と同様にクッション性を損なわないように切れ目１６ｃを支点の位置にくるようにしている。
【００２６】
図２２は本発明の第４の実施例を示す拡大断面図で、踵側の埋設部８１を短くした板ばね片３２を用いても前記実施例と同様のクッション効果を得ることができる。
【００２７】
この第４の実施例では、両埋設部７１及び８１を共に移動するように構成されており、カム１０１を回動して三角状屈曲部４１の内側下面を下方に押圧すると、板ばね片３２全体がＶ状になり、履物底本体Ｂ１はＶ状になって板ばね片３２によるクッション性が付与される。
【００２８】
なお、前記第３の実施例及び本実施例で用いた樋状受具１’において、内懐が広い構造としたのは、カム１０１の作動時に屈曲部４１の変形が樋状受具１’の内面に接触せずに円滑に行われるようにするためである。
【００２９】
図２３はカム１０１の他の実施例を示すもので、第３及び第４の実施例において、２段階に板ばね片３２の角度を変更し得るようカム１０１の突出長さをＷ１とＷ２の２種類としたもので、これにより切換軸９１を回動して、板ばね片３２のＶ状変形角度を２段に切り替えられる。
【００３０】
図２４は第５の実施例の拡大断面図を示すもので、図２２に示す第４の実施例では、土踏まず側の埋設部７１を長くし、踵側の埋設部８１を短くしたが、この第５の実施例は逆に土踏まず側の埋設部７１を短くし、踵側の埋設部８１を長くしたものである。
【００３１】
このように埋設部の長さを逆にしても、カム１０１の回動により、埋設部７１と埋設部８１の成す角を図２４（ａ）のように水平に、また図２４（ｂ）のようにＶ状に変化させ、履物底本体Ｂ１にクッション状を付与し得ることは第４の実施例と同様である。
【００３２】
図２５は複数のクッション作用付与具Ａ１を履物底Ｂ２に埋設した第６の実施例を示すもので、図２５(ａ)は各クッション付与具Ａ１、Ａ１を略水平にした状態、図２５(ｂ)はカム１０１を回動させてそれぞれのクッション付与具Ａ１、Ａ１をＶ状にした状態を示したものである。ここで図２５（ｂ）の状態では、歩行・走行時に踵に体重がかかるのを踵側のクッション作用付与具では上向きの力によるクッション作用により、足、アキレス腱、ひざ関節等にかかる衝撃を緩和すると共に指先方向の力により歩行などがよりリズミカルでスムーズに行われるように作用する。同様に指先のクッション作用付与具では指先に体重がかかる時に上方の力によるクッション作用と指先方向への力が生じ歩行を補助する効果がある。また、バレーボールやバスケットボール等のジャンプを必要とするスポーツに、本発明にかかる履物底を使用することにより、上方へのクッション作用により高いジャンプ力を得ることができ、着地時の足にかかる衝撃を緩和することができる。また、クッション性を付与する個所が複数となったとき、歩行や運動や好みに合わせてクッション作用ありなしの組み合わせを自由にすることができる。
【００３３】
【発明の効果】
本発明によれば、長時間の歩行に疲労を感じさせない履物を提供することができ、しかも、従来のこの種の考案では考えられなかったクッション作用のない状態に簡単に切換えることが出来る履物を提供することができる。
【図面の簡単な説明】
【図１】    本発明の第１実施例の平面図。
【図２】  クッション作用付与具の要部の拡大平面図。
【図３】    同拡大正面図。
【図４】    同拡大左側面図。
【図５】    図３のＸ−Ｘ線断面図。
【図６】  樋状受金具の拡大平面図。
【図７】    同拡大正面図。
【図８】  板ばね片の拡大平面図。
【図９】  同拡大正面図。
【図１０】  切換軸の拡大平面図。
【図１１】  同拡大正面図。
【図１２】  軸受の拡大正面図と拡大側面図。
【図１３】  平常時とクッション作用を付与した時の状態説明図。
【図１４】  本発明の第２実施例の平面図。
【図１５】  樋状受金具の拡大平面図と拡大側面図。
【図１６】  板ばね片の拡大平面図と拡大側面図。
【図１７】  切替軸の拡大平面図と拡大側面図。
【図１８】  軸受の拡大正面図と拡大側面図。
【図１９】  軸受の拡大正面図と拡大側面図。
【図２０】  本発明の第２の実施例の平常時とクッション作用を付与した時の状態説明図。
【図２１】  本発明の第３の実施例の平常時とクッション作用を付与した時の状態説明図。
【図２２】  本発明の第４の実施例の平常時とクッション作用を付与した時の拡大縦断側面図。
【図２３】  切換軸の他の実施例を示す拡大断面図。
【図２４】  本発明の第５の実施例の平常時とクッション作用を付与した時の拡大縦断側面図。
【図２５】  本発明の第６の実施例の平常時とクッション作用を付与した時の状態説明図。
【符号の説明】
１          樋状受金具
２          埋設固定板
３          板ばね片
４          屈曲部
５          リブ
６          透孔
７，８          埋設部
９          切換軸
１０          カム
１１          回動用係合部
１２          雄ねじ部
１３          軸受
１４          ナット
【図１】
0003653633.tif 000002
【図２】
0003653633.tif 000003
【図３】
0003653633.tif 000004
【図４】
0003653633.tif 000005
【図５】
0003653633.tif 000006
【図６】
0003653633.tif 000007
【図７】
0003653633.tif 000008
【図８】
0003653633.tif 000009
【図９】
0003653633.tif 000010
【図１０】
0003653633.tif 000011
【図１１】
0003653633.tif 000012
【図１２】
0003653633.tif 000013
【図１３】
0003653633.tif 000014
【図１４】
0003653633.tif 000015
【図１５】
0003653633.tif 000016
【図１６】
0003653633.tif 000017
【図１７】
0003653633.tif 000018
【図１８】
0003653633.tif 000019
【図１９】
0003653633.tif 000020
【図２０】
0003653633.tif 000021
【図２１】
0003653633.tif 000022
【図２２】
0003653633.tif 000023
【図２３】
0003653633.tif 000024
【図２４】
0003653633.tif 000025
【図２５】
0003653633.tif 000026